(57)【要約】【課題】太陽電池によって生じた電流を効果的に二次電池の充電に使用できる太陽電池付き指針式電子腕時計を提供すること。【解決手段】複数の太陽電池セルを直列に繋いだ太陽電池付き指針式電子腕時計において、計時された時刻において時刻表示用針７，８，９が運針された運針位置の第１の太陽電池セルＣ１に対応するスイッチＳ１を閉制御して、当該スイッチＳ１の閉制御により有効面積が最小の第１の太陽電池セルＣ１−Ｃ６を除いた他の複数の第２の太陽電池セルＣ１−Ｃ６から出力された電流を、バイパス路Ｂを介して二次電池２３へ供給させ、二次電池２３を充電するようにした。【選択図】図４
2011013026.tif 000002
【特許請求の範囲】
【請求項１】
時字が形成されている文字板、直列接続された複数の太陽電池セル、前記複数の太陽電池セル上を運針する時刻表示用針、現在時刻を計時する計時手段、および、前記複数の太陽電池セルに接続され充電可能な二次電池を備えている太陽電池付き指針式電子腕時計において、
前記複数の太陽電池セル毎に設けられ、当該各太陽電池セルの両端の端子を接続するバイパス路を開閉する開閉手段と、
この複数の開閉手段のうち、前記計時手段により計時された時刻において前記時刻表示用針が運針された運針位置の第１の太陽電池セルに対応する前記開閉手段を閉制御して、当該開閉手段の閉制御により前記第１の太陽電池セルを除いた他の複数の第２の太陽電池セルから出力された電流を、前記バイパス路を介して前記二次電池へ供給させる制御手段と、
を備えることを特徴とする太陽電池付き指針式電子腕時計。
【請求項２】
前記制御手段は、
時刻とこの時刻において前記時刻表示用針が運針される運針位置の前記第１の太陽電池セルとを対応させて複数組記憶している記憶手段と、
この記憶手段に記憶されている時刻になった際に、この時刻に対応付けて記憶されている前記第１の太陽電池セルに対応する前記開閉手段を閉制御して、当該開閉手段の閉制御により前記第１の太陽電池セルを除いた他の複数の第２の太陽電池セルから出力された電流を、前記バイパス路を介して前記二次電池へ供給させる電流供給制御手段と、
を備えることを特徴とする請求項１に記載の太陽電池付き指針式電子腕時計。
【請求項３】
前記制御手段は、
時刻と当該時刻において前記複数の太陽電池セルのうちで前記有効面積が最小となる前記太陽電池セルとを対応させて複数組記憶している記憶手段と、
この記憶手段に記憶している時刻に基づいて、当該時刻に対応する前記第１の太陽電池セルの前記開閉手段を閉制御して、前記第１の太陽電池セルを除いた他の複数の第２の太陽電池セルから出力された電流を、前記バイパス路を介して前記二次電池へ供給させる電流供給制御手段と、
を備えることを特徴とする請求項１に記載の太陽電池付き指針式電子腕時計。
【請求項４】
前記複数の太陽電池セルから構成される太陽電池の開放電圧値を前記各時刻において検出する電圧検出手段を備え、
前記制御手段は、前記電圧検出手段によって検出された前記開放電圧値が前記二次電池を満充電可能な電圧値以上である場合、前記バイパス路を閉じて前記二次電圧の充電を行わせることを特徴とする請求項１から３いずれか一項に記載の太陽電池付き指針式電子腕時計。
【発明の詳細な説明】
【技術分野】
【０００１】
本発明は、太陽電池付き指針式電子腕時計に関するものである。
【背景技術】
【０００２】
近年、太陽電池の起電力を利用して動作する電子腕時計が開発されている（例えば、特許文献１）。この電子時計に使用される太陽電池にあっては、暗い場所であっても二次電池の充電を行えるように設計する必要がある。
複数枚の太陽電池セルを直列に繋いだ場合、得られる電圧値は各太陽電池セルの電圧値の和になることから、太陽電池付き電子腕時計にあっては、充電のための電圧値が十分確保できるよう、通常、１枚のパネルの中に複数枚の太陽電池セルを直列に接続した構造を採っている。
【先行技術文献】
【特許文献】
【０００３】
【特許文献１】特開２００２−１４８３６６号公報
【発明の概要】
【発明が解決しようとする課題】
【０００４】
しかし、複数枚の太陽電池セルを直列に接続すると、太陽電池の出力電流値はそれぞれの太陽電池セルに当たる光の量に応じた電流値のうち、最も小さい電流値に制限されてしまう。
例えば、太陽電池の大部分に強い光が当たっていても、わずか１枚でも光の当たる量が少ないセルがあると、太陽電池で得られる電流値はその１つの太陽電池セルの電流値に限定されてしまい、場合によっては極端に少ない電流値となってしまう。
そこで、太陽電池付き電子腕時計にあっては、各々の太陽電池セルの有効面積（光を受けることができる面積）ができるだけ同じになるように設計することとし、各太陽電池セルで得られる電流値が等しくなるようにしている。
しかし、太陽電池付き電子腕時計のうち、指針式のものは、通常、光を透過する文字板の下に太陽電池を敷設するので、文字板の上にある指針によって、太陽電池に届く光が部分的に遮られてしまう。その上、指針の動きに合わせて有効面積が時々刻々変化してしまう。
例えば、時針と分針とが１つの太陽電池セルの上にある場合、その１つの太陽電池セルだけ有効面積が極端に減ってしまい、この間の太陽電池全体の出力電流値が大きく減ってしまう。結果、長期間にわたった平均電流値も減るので、二次電池の満充電にかかる時間も長くなってしまうという欠点があった。
【０００５】
本発明は、かかる問題点を解消するためになされたものであり、太陽電池によって生じた電流を効果的に二次電池の充電に使用できる太陽電池付き指針式電子腕時計を提供することを目的とする。
【課題を解決するための手段】
【０００６】
請求項１の発明は、
時字が形成されている文字板、直列接続された複数の太陽電池セル、前記複数の太陽電池セル上を運針する時刻表示用針、現在時刻を計時する計時手段、および、前記複数の太陽電池セルに接続され充電可能な二次電池を備えている太陽電池付き指針式電子腕時計において、
前記複数の太陽電池セル毎に設けられ、当該各太陽電池セルの両端の端子を接続するバイパス路を開閉する開閉手段と、
この複数の開閉手段のうち、前記計時手段により計時された時刻において前記時刻表示用針が運針された運針位置の第１の太陽電池セルに対応する前記開閉手段を閉制御して、当該開閉手段の閉制御により前記第１の太陽電池セルを除いた他の複数の第２の太陽電池セルから出力された電流を、前記バイパス路を介して前記二次電池へ供給させる制御手段と、
を備えることを特徴とする太陽電池付き指針式電子腕時計である。
【０００７】
請求項２の発明は、請求項１に記載の太陽電池付き指針式電子腕時計において、
前記制御手段は、時刻とこの時刻において前記時刻表示用針が運針される運針位置の前記第１の太陽電池セルとを対応させて複数組記憶している記憶手段と、
この記憶手段に記憶されている時刻になった際に、この時刻に対応付けて記憶されている前記第１の太陽電池セルに対応する前記開閉手段を閉制御して、当該開閉手段の閉制御により前記第１の太陽電池セルを除いた他の複数の第２の太陽電池セルから出力された電流を、前記バイパス路を介して前記二次電池へ供給させる電流供給制御手段と、
を備えることを特徴とする。
【０００８】
請求項３の発明は、請求項１に記載の太陽電池付き指針式電子腕時計において、
前記制御手段は、
時刻と当該時刻において前記複数の太陽電池セルのうちで前記有効面積が最小となる前記太陽電池セルとを対応させて複数組記憶している記憶手段と、
この記憶手段に記憶している時刻に基づいて、当該時刻に対応する前記第１の太陽電池セルの前記開閉手段を閉制御して、前記第１の太陽電池セルを除いた他の複数の第２の太陽電池セルから出力された電流を、前記バイパス路を介して前記二次電池へ供給させる電流供給制御手段と、
を備えることを特徴とする。
【０００９】
請求項４の発明は、請求項１から３いずれか一項に記載の太陽電池付き指針式電子腕時計において、
前記複数の太陽電池セルから構成される太陽電池の開放電圧値を前記各時刻において検出する電圧検出手段を備え、
前記制御手段は、前記電圧検出手段によって検出された前記開放電圧値が前記二次電池を満充電可能な電圧値以上である場合、前記バイパス路を閉じて前記二次電圧の充電を行わせることを特徴とする。
【発明の効果】
【００１０】
複数の太陽電池セル毎に設けられている各開閉手段のうち、計時手段により計時された時刻において時刻表示用針が運針された運針位置の第1の太陽電池セルに対応する開閉手段を閉制御して、当該開閉手段の閉制御により第1の太陽電池セルを除いた他の複数の第２の太陽電池セルから出力された電流を、バイパス路を介して二次電池へ供給させることができる。このために、計時された時刻において時刻表示用針が運針された運針の存在により外部光の影響を受け、その結果、有効面積が最小となる太陽電池セルがバイパスされるので、太陽電池の出力電流値が当該有効面積が最小となる太陽電池セルの出力電流値によって制限されることなくなる。したがって、太陽電池セルをバイパスさせない場合に比べて、各時刻における出力電流値が増大することになる。
【図面の簡単な説明】
【００１１】
【図１】この発明の第１実施形態に係る太陽電池付き指針式電子腕時計を示す正面図である。
【図２】図１の太陽電池付き指針式電子腕時計の太陽電池セルの配置を示す平面図である。
【図３】図１の太陽電池付き指針式電子腕時計の要部断面図である。
【図４】図１の太陽電池付き指針式電子腕時計の回路を示すブロック図である。
【図５】太陽電池付き指針式電子腕時計の太陽電池セルの有効面積の変化を示すグラフである。
【図６】太陽電池付き指針式電子腕時計の太陽電池セルの有効面積の変化を示す表である。
【図７】図１の太陽電池付き指針式電子腕時計のバイパス処理の手順を示すフローチャートである。
【図８】第２実施形態の太陽電池付き指針式電子腕時計のバイパス処理の手順を示すフローチャートである。
【図９】第３実施形態の太陽電池付き指針式電子腕時計のバイパス処理の手順を示すフローチャートである。
【発明を実施するための形態】
【００１２】
以下、本発明の実施の形態を図面に基づいて説明する。
【００１３】
［第１実施形態］
図１は、本発明の第１実施形態の太陽電池付き指針式電子腕時計の要部を示す正面図、図２は、太陽電池セルの配置を示す平面図、図３は、要部断面図である。
【００１４】
この実施形態の太陽電池付き指針式電子腕時計（以下、単に「電子腕時計」と言う。）ＡＴは本体ケースＴＫを備える。本体ケースＴＫにはバンドＢＤが取り付けられている。電子腕時計ＡＴの正面側の本体ケースＴＫ上には風防ガラスＦＧが設けられ、本体ケースＴＫの底面側には裏蓋（図示せず）が設けられている。風防ガラスＦＧの下側には文字板１が設けられている。電子腕時計ＡＴの時計モジュール２は、この文字板１によって正面側が覆われ、かつ周囲が本体ケースＴＫに囲まれることによって遮光されている。なお、この実施の形態では、本体ケースＴＫの外周には、時刻修正を行うための操作スイッチ、モードを設定するための操作スイッチ類は一切設けられていないが、設けられていてもよいことは勿論である。
【００１５】
文字板３の下側には、図２に示すように、扇状でかつ同じ大きさでの６つの太陽電池セルＣ（Ｃ１，Ｃ２，Ｃ３，Ｃ４，Ｃ５，Ｃ６；以下、ソーラセルＣを区別するときはＣ１，Ｃ２，Ｃ３，Ｃ４，Ｃ５，Ｃ６の符号を用いる。）が当該文字板１の周方向に並べられて設けられている。この６つの太陽電池セルＣは図４に示すように直列に接続されている。
【００１６】
文字板１の中央には、図３に示すように、秒針軸３、分針軸４、時針軸５を挿通させるための貫通孔６が設けられている。そして、この貫通孔６には内部機構側から前面側に秒針軸３、分針軸４、時針軸５が挿通され、秒針軸３、分針軸４、時針軸５における文字板１の上に突出した部位に時刻表示用針である秒針７、分針８、時針９がそれぞれ固定されている。この秒針７、分針８および時針９は、対応する秒針軸３、分針軸４および時針軸５が回転することで、文字板１の外周に沿って設けられている時字Ｔを指示し、この指示された時字Ｔの時刻を表示するようになっている。
【００１７】
秒針軸３、分針軸４、時針軸５は、秒針車１１、分針車１２および時針車１３にそれぞれ固着されている。そして、秒針車１１、分針車１２および時針車１３は同一の軸線を中心に回転可能となっている。秒針車１１は歯車機構を介して第１のステッピングモータ１４に連結され、この第１のステッピングモータ１４によって駆動される。分針車１２および時針車１３は歯車機構を介して第２のステッピングモータ１５に連結され、この第２のステッピングモータ１５よって駆動される。
【００１８】
図４には本実施形態の電子腕時計ＡＴの回路のブロック図が示されている。
電子腕時計ＡＴの時計モジュール２は、装置の全体的な制御を行うＣＰＵ（中央演算処理装置）２０と、制御プログラムや制御データを格納したＲＯＭ（Read Only Memory）２１と、ＣＰＵ２０に作業用のメモリ空間を提供するＲＡＭ（Random Access Memory）２２と、太陽電池セルＣおよび二次電池２３等を含む電源回路２４と、電源回路２４の動作を制御するための制御回路２５，２６および電圧検出回路２７と、第１のステッピングモータ１４および第２のステッピングモータ１５と、第１のステッピングモータ１４および第２のステッピングモータ１５を駆動するためのモータドライバ２８と、現在時刻を計時するためのクロックを形成する発振回路２９および分周回路３１とを備える。ここで、ＣＰＵ２０、ＲＯＭ２１、ＲＡＭ２２、制御回路２５，２６、電圧検出回路２７およびモータドライバ２８は１つのＩＣ（半導体集積回路）によって構成されている。
【００１９】
電源回路２４は、太陽電池セルＣおよび二次電池２３の他に、逆流防止ダイオード３０と、例えばＴＦＴによって構成される７個のスイッチＳ（スイッチＳ１，Ｓ２，Ｓ３，Ｓ４，Ｓ５，Ｓ６，Ｓ７；以下、スイッチＳを区別するときはＳ１，Ｓ２，Ｓ３，Ｓ４，Ｓ５，Ｓ６，Ｓ７の符号を用いる。）とを備えている。７個のスイッチＳのうちＳ１〜Ｓ６のスイッチはバイパススイッチである。
逆流防止ダイオード３０は二次電池２３側から太陽電池に電流が流れるのを防止する働きをする。
スイッチＳ７はオンのときには太陽電池ＳＢと二次電池２３とを接続し、オフのときに太陽電池ＳＢと二次電池２３との間を遮断する働きをする。
６個のバイパススイッチＳ１〜Ｓ６の各々は、各太陽電池セルＣ１〜Ｃ６の両端を接続するバイパス路Ｂに設けられている。各バイパススイッチＳ１〜Ｓ６が設けられる各バイパス路Ｂの抵抗は、対応する太陽電池セルＣ１〜Ｃ６の内部抵抗よりも小さい。そして、各バイパススイッチＳ１〜Ｓ６はオンのときには、各太陽電池セルＣ１〜Ｃ６の両端を短絡させ、対応するバイパス路Ｂに電流をバイパスさせ、オフのときに電流を対応する太陽電池セルＣに流す働きをする。
【００２０】
ＲＯＭ（記憶手段）２１には、制御プログラムとして、バイパス処理プログラムが格納されている。また、ＲＯＭ２１には、制御データとして、図６に示すような、各時刻と、当該各時刻において６個の太陽電池セルＣ１〜Ｃ６のうちで少なくとも有効面積が最小となる太陽電池セルとを対応付けたＬＵＴ（ルックアップテーブル）が格納されている。ここで、「有効面積」とは太陽電池セルＣ１〜Ｃ６のそれぞれが光を受けることができる面積を言う。
本実施形態によれば、太陽電池セルＣの上に文字板１が設けられている。文字板１には時字Ｔや装飾部が形成されている。時字Ｔや装飾部は印刷等で形成され、遮光部となっているのが一般的である。そのため、まず、時字Ｔや装飾部で太陽電池セルＣの受光が妨げられることになる。また、文字板１の上で動作する時刻表時用針７〜９も遮光性部材によって形成されているのが一般的である。そのため、時刻表示用針７〜９によっても太陽電池セルＣの受光が妨げられることになる。この場合、時刻表示用針７〜９は時刻によって位置を変えることから、時刻表示用針７〜９によって受光を妨げられる部分は時刻によって移り変わる。
そこで、本実施形態では、平行な光が太陽電池セルＣ１〜Ｃ６のそれぞれに当たっているものとして、太陽電池セルＣ１〜Ｃ６の実際の面積から時字Ｔが占める面積、装飾部が占める面積および時刻表示用針７〜９の影になる部分の面積をそれぞれ引いた残りの面積を「有効面積」としている。この太陽電池セルＣ１〜Ｃ６の「有効面積」は、時刻表示用針７〜９が時刻によって位置を変えるので、各太陽電池セルＣ１〜Ｃ６の「有効面積」は刻々と変化する。
以上から、本実施形態では、各太陽電池セルＣに存在する時字Ｔの面積、装飾部の面積と、時刻によって位置変化する針の面積とを考慮して、各時刻における各太陽電池セルＣ１〜Ｃ６のそれぞれの有効面積を算出し、各時刻と、当該各時刻において６個の太陽電池セルＣ１〜Ｃ６のうちで有効面積が最小となる太陽電池セルとを対応付けたＬＵＴを予め作成しておき、ＲＯＭ２１に格納しておき、後述のように、各時刻で、有効面積が最小となる太陽電池セルＣを除外した太陽電池にて二次電池２３の充電を行うようにした。その理由は次の通りである。
【００２１】
太陽電池セルＣの有効面積は、太陽電池ＳＢの出力電流に影響を与える。
すなわち、太陽電池ＳＢの全体に一様に光が当たっているとすると、太陽電池ＳＢから得られる電流値は、有効面積が最小の太陽電池セルＣから得られる電流値に等しくなる。したがって、二次電池２３の充電は、いつでも、有効面積が最小の太陽電池セルＣから得られる電流によってなされることになる。これでは充電が非効率となり、二次電池２３の満充電に必要な時間が長くなってしまう。
そこで、各時刻と、当該各時刻において６個の太陽電池セルＣのうちで少なくとも有効面積が最小となる太陽電池セル（第１の太陽電池セル）とを対応付けたＬＵＴをＲＯＭ２１に格納しておき、各時刻で、有効面積が最小となる太陽電池セル（第１の太陽電池セル）を除外した太陽電池セル（第２の太陽電池セル）にて二次電池２３の充電を行うようにした。
【００２２】
各太陽電池セルＣ１〜Ｃ６の有効面積が各時刻で変化する様子が図５のグラフおよび図６の表に具体的に示されている。
図５のグラフは０時００分〜０時２２分のもの、図６の表は０時００分〜０時０４分のものである。  グラフおよび表の作成には、図１に示す電子時計よりも表面印刷が複雑で、かつ、指針として時針と分針しか持たない太陽電池付き指針式電子腕時計を使用した。
グラフおよび表からは、各太陽電池セルの有効面積は各時刻で変化し、時刻（時間帯）つまり針位置によって、有効面積が最小となる太陽電池セルが次々と移り変わっているのが分かる。
具体的に説明すれば、図６の表の横軸には「時刻」「最小面積のセル番号」「有効面積」の各欄が設けられている。
例えば、「時刻」が「０時００分」における太陽電池セルＣ１〜Ｃ６の有効面積は、「53.12」「62.89」「61.74」「62.51」「52.85」「58.75」であり、これらの中で、一番有効面積の小さい太陽電池セルは、Ｃ１であることから、「最小面積のセル番号」は「１」となっている。
次の時刻である「０時０１分」〜「０時０４分」までは同様に、一番有効面積の小さい太陽電池セルは、Ｃ１であることから、「最小面積のセル番号」は「１」となっている。
実施形態の電子腕時計ＡＴのＲＯＭ２１には、図６の表の一部に示すような、各時刻と当該各時刻において６個の太陽電池セルＣのうちで有効面積が最小となる太陽電池セルとを対応付けたＬＵＴが格納されている。
【００２３】
ＣＰＵ２０は、日付や時刻を計時する時刻カウンタとして機能する。時刻カウンタは、分周回路３１からのクロックによりカウントアップされて現在時刻の計時を行う。
また、ＣＰＵ２０は、歯車位置を計数する歯車位置カウンタとしても機能する。歯車位置カウンタは、そのカウンタ値に歯車位置を同期させることで、現在時刻が針７〜９により示される。
さらに、ＣＰＵ２０は、各時刻で、まず、スイッチＳ７およびバイパススイッチＳ１〜Ｓ６を全てオフすることにより、電圧検出回路２７を通じて太陽電池ＳＢの開放電圧値を読み取り、開放電圧値が基準値以上の場合に、記憶手段であるＲＯＭ２１に格納されているＬＵＴに基づいて、バイパススイッチＳ１〜Ｓ６をオン／オフ制御する。ここで、基準値は、有効面積が１番目に小さい太陽電池セル（第１の太陽電池セル）を除外した残りの太陽電池セル（第２の太陽電池セル）で二次電池２３を満充電可能な電圧値に設定されている。
【００２４】
続いて、本実施形態の電子腕時計ＡＴによってなされるバイパス処理について図７のフローチャートを用いて説明する。
まず、ＣＰＵ２０は、モータドライバ２８を通じてステッピングモータ１４や１５を適宜に駆動し、指針を進める（ステップＳＡ１）。指針を進める時間間隔は、秒針７、分針８および時針９の３つの時刻表時用針を持つ本実施形態の電子腕時計ＡＴでは例えば２０秒、分針および時針の２つの時刻表時用針しか持たない電子腕時計では例えば１分とすることができる。
次に、ＣＰＵ２０は、制御回路２５，２６を通じてスイッチＳ７およびスイッチＳ１〜Ｓ６のすべてをオフする（ステップＳＡ２）。二次電池２３と太陽電池ＳＢとの接続を遮断し、太陽電池ＳＢの開放電圧値を測定するためである。
次に、ＣＰＵ２０は、電圧検出回路２７を通じて太陽電池ＳＢの開放電圧値を検出する（ステップＳＡ３）。
次に、ＣＰＵ２０は、制御回路２６を通じてスイッチＳ７をオンする（ステップＳＡ４）。これによって二次電池２３と太陽電池ＳＢとが接続される。
次に、ＣＰＵ２０は、太陽電池ＳＢの開放電圧値が基準値以上か否かを判定する（ステップＳＡ５）。ＣＰＵ２０は、開放電圧値が基準値以上の場合には、制御回路２５を通じてスイッチＳ１〜Ｓ６のうち有効面積が最小の太陽電池セルＣ（Ｃ１〜Ｃ６のうちの１つ）に対応するスイッチＳ（Ｓ１〜Ｓ６のうちの１つ）のみをオンさせる（ステップＳＡ６）。これによって有効面積が最小の太陽電池セルＣの両端の端子が接続されるので、この接続によるバイパス路Ｂに電流が流れることになり、有効面積が最小の第１の太陽電池セルＣを除外した他の複数の第２の太陽電池セルＣの電流を二次電池２３に供給することになり（ステップＳＡ７）、この二次電池２３の充電がなされることになる。一方、ＣＰＵ２０は、開放電圧値が基準値に満たない場合には、太陽電池セルＣ１〜Ｃ６のいずれをもバイパスさせない。
【００２５】
以上のように構成された第１実施形態の電子腕時計ＡＴによれば次のような効果を得ることができる。
光を受けることができるセルの有効面積が最小となる太陽電池セルＣをバイパスした電流が二次電池２３へ供給されるので、太陽電池の出力電流値が当該太陽電池セルの出力電流値によって制限されることなくなる。したがって、太陽電池セルをバイパスさせない場合に比べて、各所定時間毎の出力電流が増大することになる。
【００２６】
［第２実施形態］
第２実施形態の電子腕時計ＡＴは、ＲＯＭ２１に格納されるＬＵＴの内容が第１の実施形態の電子腕時計ＡＴと、バイパス処理の仕方の点で異なっている。この第２実施形態の電子腕時計ＡＴはその他の点では第１実施形態の電子腕時計ＡＴと同じである。したがって、同じ部分についての図示および詳細な説明は適宜省略し、説明にあたっては第１実施形態の電子腕時計ＡＴにおける符号と同じ符号を用いるものとする。
この第２実施形態の電子腕時計ＡＴでは、図６の表に示すように、ＲＯＭ２１に、時刻と、この時刻における太陽電池セルＣ１〜Ｃ６の有効面積とが対応付けられて複数組格納されている。図６の表を拝借して説明すれば、セル番号を除いた部分がＬＵＴとしてＲＯＭ２１に格納されている。
この第２実施形態のバイパス処理は第１実施形態のバイパス処理とほぼ同様であり、同じ部分については同じステップ番号が表示されている。
図８に示すように、太陽電池ＳＢの電圧値が基準値以上の場合（ステップＳＡ５）には、ＲＯＭ２１に記憶されている各太陽電池セルＣ１〜Ｃ６の有効面積を各時刻になる都度、互いに比較し、有効面積が最小の第１の太陽電池セルＣを求め（ステップＳＡ５ａ）、当該第１の太陽電池セルＣに対応するスイッチＳ１〜Ｓ６のいずれか１つのみをオンさせる（ステップＳＡ６ａ）。そして、他の複数の第２の太陽電池セルＣの電流を二次電池２３に供給する（ステップＳＡ７）。
この第２実施形態の電子腕時計ＡＴにおいても次のような効果を得ることができる。
光を受けることができるセルの有効面積が最小となる第１の太陽電池セルＣの電流がバイパスされるので、他の複数の第２の太陽電池Ｃの出力電流値が当該有効面積の最小の第１の太陽電池セルＣの出力電流値によって制限されることなくなる。したがって、太陽電池セルＣの電流をバイパスさせない場合に比べて、所定時間毎の出力電流が増大することになる。
【００２７】
［第３実施形態］
第３実施形態の電子腕時計ＡＴは、ＲＯＭ２１に格納されるＬＵＴの内容が第１実施形態の電子腕時計ＡＴと異なっている。
すなわち、ＲＯＭ２１に格納されるＬＵＴは、時刻と当該時刻において有効面積が１番目および２番目に小さい太陽電池セルとが対応付けられたものとなっている。また、基準値としては、第１実施形態の電子腕時計ＡＴの場合の第１基準値と、この第１基準値よりも高い第２基準値とが用いられている。第２基準値は、有効面積が１番目および２番目に小さい太陽電池セルを除外した残りの太陽電池セルで二次電池２３を満充電可能な電圧値に設定されている。
そして、第３実施形態の電子時計ＡＴでは、太陽電池ＳＢの開放電圧値が第２基準値以上の場合（ステップＳＡ５ａでＹＥＳの場合）には、バイパススイッチＳ１〜Ｓ６のうち、１番目および２番目に小さい太陽電池セルＣ（第１の太陽電池セル）に対応するバイパススイッチのみをオンさせる（ステップＳＡ６ａ）。そして、他の複数の第２の太陽電池セルＣの電流を二次電池２３に供給する（ステップＳＡ７ａ）。また、第３実施形態の電子時計ＡＴでは、太陽電池の開放電圧値が第２基準値未満（ステップＳＡ５ａでＮＯの場合）であって第１基準値以上の場合（ステップＳＡ５ｂでＹＥＳの場合）には、バイパススイッチＳ１〜Ｓ６のうち、１番目に小さい太陽電池セルに対応するバイパススイッチのみをオンさせる（ステップＳＡ６ｂ）。そして、他の複数の第２の太陽電池セルＣの電流を二次電池２３に供給する（ステップＳＡ７ｂ）。
第３実施形態の電子腕時計ＡＴは、その他の点では、第１実施形態と同じである。したがって、第１実施形態の電子腕時計ＡＴと同じ部分についての図示および詳細な説明は適宜省略する。
この第３実施形態の電子腕時計ＡＴによれば次のような効果を得ることができる。
日中のように照度が高い場合に、光を受けることができるセルの有効面積が１番目および２番目に小さい太陽電池セルＣの電流がバイパスされるので、太陽電池ＳＢの出力電流値をさらに大きなものとすることができる。
なお、この第３実施形態の電子腕時計ＡＴでは、ＬＵＴは、時刻と当該時刻において有効面積が１番目および２番目に小さい太陽電池セルとが対応付けられたものとしたが、第２実施形態の電子腕時計ＡＴのように、時刻と、当該時刻における太陽電池セルの有効面積とが対応付けたものとし、各時刻において１番目および２番目に小さい太陽電池セルＣを求めてもよい。
【符号の説明】
【００２８】
１    文字板
２    時計モジュール
７    秒針
８    分針
９    時針
２１    ＲＯＭ（記憶手段）
２３    ＣＰＵ
ＳＢ    太陽電池
Ｃ１〜Ｃ６    太陽電池セル
Ｓ１〜Ｓ７    バイパススイッチ
【図１】
2011013026.tif 000003
【図２】
2011013026.tif 000004
【図３】
2011013026.tif 000005
【図４】
2011013026.tif 000006
【図５】
2011013026.tif 000007
【図６】
2011013026.tif 000008
【図７】
2011013026.tif 000009
【図８】
2011013026.tif 000010
【図９】
2011013026.tif 000011